【手続補正書】
【提出日】令和1年7月30日(2019.7.30)
【手続補正１】
【補正対象書類名】特許請求の範囲
【補正対象項目名】全文
【補正方法】変更
【補正の内容】
【特許請求の範囲】
【請求項１】
システム帯域幅のシングルリソースブロック狭帯域領域における動作をサポートするシステムにおけるワイヤレス通信のための方法であって、前記方法は、
前記システム帯域幅の広帯域領域内の特定のシングルリソースブロックとして前記システム帯域幅の前記狭帯域領域の位置を識別することと、
前記システム帯域幅の前記広帯域領域内の前記特定のシングルリソースブロックの前記位置のインジケーションを送信することと、ここにおいて、前記インジケーションは、前記狭帯域領域が前記システム帯域幅内にあることのシグナリングを含むマスター情報ブロック（ＭＩＢ）またはシステム情報ブロック（ＳＩＢ）のうちの１つまたは複数において送信される、
によって特徴付けられる、方法。
【請求項２】
前記インジケーションは、前記システム帯域幅の全広帯域帯域幅と、前記特定のシングルリソースブロックの位置を示すリソースブロックインデックスとを備える、請求項１に記載の方法。
【請求項３】
前記インジケーションは、前記特定のシングルリソースブロックに含まれる１つまたは複数の共通基準信号（ＣＲＳ）リソースエレメント（ＲＥ）またはリソースブロックオフセットを備える、請求項１に記載の方法。
【請求項４】
前記狭帯域領域においてデバイスディスカバリに関わるシステム情報の送信のための物理ブロードキャストチャネル（ＰＢＣＨ）信号を生成することと、
復調基準信号（ＤＭＲＳ）に少なくとも部分的に基づいて前記ＰＢＣＨ信号を変調することと、
前記狭帯域領域において前記変調されたＰＢＣＨ信号を送信することと、
をさらに備える請求項１に記載の方法。
【請求項５】
前記ＰＢＣＨ信号を前記変調することは、
前記変調されたＰＢＣＨ信号の送信のためのプリコーディングマトリックスを選択することと、
前記システム帯域幅における前記狭帯域領域において他の送信のために前記選択されたプリコーディングマトリックスを使用することと、
を備える、請求項４に記載の方法。
【請求項６】
前記システム帯域幅の前記狭帯域領域における前記変調されたＰＢＣＨ信号、または他の送信のうちの１つまたは複数において共通基準信号（ＣＲＳ）を送信することをさらに備え、チャネル推定における使用のための前記ＣＲＳは、１つまたは複数の受信機である、請求項４に記載の方法。
【請求項７】
前記ＰＢＣＨ信号は、前記狭帯域領域において送信されるリソースブロックに含まれ、前記方法は、
マルチメディアブロードキャストシングル周波数ネットワーク（ＭＢＳＦＮ）サブフレームとして前記リソースブロックを含むサブフレームを識別することと、
前記ＭＢＳＦＮサブフレームにおいて前記ＰＢＣＨ信号を送信することと、
をさらに備える、請求項４に記載の方法。
【請求項８】
システム帯域幅のシングルリソースブロック狭帯域領域における動作をサポートするシステムにおけるワイヤレス通信のための方法であって、前記方法は、
狭帯域送信のための特定のシングルリソースブロックの位置のインジケーションを受信することと、前記特定のシングルリソースブロックは前記システム帯域幅の広帯域領域内にある、
前記インジケーションに少なくとも部分的に基づいて前記狭帯域送信を受信するための１つまたは複数の同期化パラメータを識別することと、ここにおいて、前記インジケーションは、マスター情報ブロック（ＭＩＢ）またはシステム情報ブロック（ＳＩＢ）のうちの１つまたは複数において受信され、および前記狭帯域領域が前記システム帯域幅内にあることをシグナリングすること、
によって特徴付けられる、方法。
【請求項９】
前記１つまたは複数の同期化パラメータを前記識別することは、
前記インジケーションに含まれるリソースブロックオフセット値および送信機のセル識別に少なくとも部分的に基づいて共通基準信号（ＣＲＳ）シーケンスを生成すること
を備える、請求項８に記載の方法。
【請求項１０】
前記インジケーションは、前記システム帯域幅の全広帯域帯域幅と、前記シングルリソースブロックの位置を示すリソースブロックインデックスとを備える、請求項８に記載の方法。
【請求項１１】
ビットの第１のセットを取得するために前記狭帯域領域において物理ブロードキャストチャネル（ＰＢＣＨ）を復号することと、
ビットの第２のセットを取得するためにシーケンスによってビットの前記第１のセットの少なくとも一部をデスクランブル（descramble）することと、
ビットの前記第２のセットにＣＲＣチェックを実施することと、
前記ＣＲＣチェックの結果に基づいて展開タイプ（deployment type）およびＣＲＳアンテナポートの数を決定することと、
をさらに備える、請求項８に記載の方法。
【請求項１２】
システム帯域幅のシングルリソースブロック狭帯域領域における動作をサポートするシステムにおけるワイヤレス通信のための装置であって、前記装置は、
前記システム帯域幅の広帯域領域内の特定のシングルリソースブロックとして前記システム帯域幅の前記狭帯域領域の位置を識別するための手段と、
前記システム帯域幅の前記広帯域領域内の前記特定のシングルリソースブロックの前記位置のインジケーションを送信するための手段と、ここにおいて、前記インジケーションは、前記狭帯域領域が前記システム帯域幅内にあることのシグナリングを含むマスター情報ブロック（ＭＩＢ）またはシステム情報ブロック（ＳＩＢ）のうちの１つまたは複数において送信される、
によって特徴付けられる、装置。
【請求項１３】
システム帯域幅のシングルリソースブロック狭帯域領域における動作をサポートするシステムにおけるワイヤレス通信のための装置であって、前記装置は、
狭帯域送信のための特定のシングルリソースブロックの位置のインジケーションを受信するための手段と、前記特定のシングルリソースブロックは前記システム帯域幅の広帯域領域内にある、
前記インジケーションに少なくとも部分的に基づいて前記狭帯域送信を受信するための１つまたは複数の同期化パラメータを識別するための手段と、ここにおいて、前記インジケーションは、マスター情報ブロック（ＭＩＢ）またはシステム情報ブロック（ＳＩＢ）のうちの１つまたは複数において受信され、および前記狭帯域領域が前記システム帯域幅内にあることをシグナリングすること、
によって特徴付けられる、装置。
【請求項１４】
ワイヤレス通信装置のプロセッサによって実行されると、前記ワイヤレス通信装置に、請求項１ないし１２のいずれか一項に記載の方法を実行させる命令を備えるコンピュータ可読媒体。
【手続補正２】
【補正対象書類名】明細書
【補正対象項目名】０１８７
【補正方法】変更
【補正の内容】
【０１８７】
[0202]  本書での説明は、当業者が本開示を製造または使用することを可能にするために提供される。本開示に対するさまざまな修正は、当業者にとって容易に明らかとなり、本書で定義された包括的な原理は、本開示の範囲から逸脱しないで他の変形に適用され得る。かくして、本開示は、本書に説明された例および設計に限定されるべきではなく、本書に開示された原理および新規の特徴と矛盾しない最も広い範囲が付与されるべきである。
以下に本願の出願当初の特許請求の範囲に記載された発明を付記する。
［Ｃ１］  システム帯域幅の狭帯域領域における動作をサポートするシステムにおけるワイヤレス通信のための方法であって、
前記システム帯域幅の広帯域領域内のシングルリソースブロックとして前記システム帯域幅の前記狭帯域領域の位置を識別することと、
前記システム帯域幅の前記広帯域領域内の前記シングルリソースブロックの前記位置のインジケーションを送信することと、を備える、方法。
［Ｃ２］  前記インジケーションは、前記システム帯域幅の全広帯域帯域幅と、前記シングルリソースブロックの位置を示すリソースブロックインデックスとを備える、Ｃ１に記載の方法。
［Ｃ３］  前記インジケーションは、前記シングルリソースブロックに含まれる１つまたは複数の共通基準信号（ＣＲＳ）リソースエレメント（ＲＥ）またはリソースブロックオフセットを備える、Ｃ１に記載の方法。
［Ｃ４］  前記インジケーションは、マスター情報ブロック（ＭＩＢ）またはシステム情報ブロック（ＳＩＢ）のうちの１つまたは複数において送信される、Ｃ１に記載の方法。
［Ｃ５］  ビットの第１のセットを取得するために前記狭帯域領域において物理ブロードキャストチャネル（ＰＢＣＨ）を復号することと、
ビットの第２のセットを取得するためにシーケンスによってビットの前記第１のセットの少なくとも一部をデスクランブル（descramble）することと、
ビットの前記第２のセットにＣＲＣチェックを実施することと、
前記ＣＲＣチェックの結果に基づいて展開タイプ（deployment type）およびＣＲＳアンテナポートの数を決定することと、をさらに備える、Ｃ１に記載の方法。
［Ｃ６］  前記狭帯域領域においてデバイスディスカバリに関わるシステム情報の送信のための物理ブロードキャストチャネル（ＰＢＣＨ）信号を生成することと、
復調基準信号（ＤＭＲＳ）に少なくとも部分的に基づいて前記ＰＢＣＨ信号を変調することと、
前記狭帯域領域において前記変調されたＰＢＣＨ信号を送信することと、をさらに備えるＣ１に記載の方法。
［Ｃ７］  前記ＰＢＣＨ信号を前記変調することは、
前記変調されたＰＢＣＨ信号の送信のためのプリコーディングマトリックスを選択することと、
前記システム帯域幅における前記狭帯域領域において他の送信のための前記選択されたプリコーディングマトリックスを使用することと、を備える、Ｃ６に記載の方法。
［Ｃ８］  前記システム帯域幅の前記狭帯域領域における前記変調されたＰＢＣＨ信号、または他の送信のうちの１つまたは複数において共通基準信号（ＣＲＳ）を送信することをさらに備え、チャネル推定における使用のための前記ＣＲＳは、１つまたは複数の受信機である、Ｃ６に記載の方法。
［Ｃ９］  前記ＰＢＣＨ信号は、前記狭帯域領域において送信されるリソースブロックに含まれ、前記方法は、
マルチメディアブロードキャストシングル周波数ネットワーク（ＭＢＳＦＮ）サブフレームとして前記リソースブロックを含むサブフレームを識別することと、
前記ＭＢＳＦＮサブフレームにおいて前記ＰＢＣＨ信号を送信することと、をさらに備える、Ｃ６に記載の方法。
［Ｃ１０］  システム帯域幅の狭帯域領域における動作をサポートするシステムにおけるワイヤレス通信のための方法は、
デバイスディスカバリのための同期化信号を生成することと、前記同期化信号は、シングルリソースブロック内の２つ以上の直交周波数分割多重化（ＯＦＤＭ）シンボルを備える、
前記狭帯域領域において前記同期化信号を送信することと、を備える、方法。
［Ｃ１１］  前記同期化信号は、プライマリ同期化信号（ＰＳＳ）またはセカンダリ同期化信号（ＳＳＳ）のうちの１つまたは複数を備える、Ｃ１０に記載の方法。
［Ｃ１２］  前記同期化信号は、連続的なＯＦＤＭシンボルのセットにおいて送信され、前記方法は、
連続的なＯＦＤＭシンボルの前記セットをパンクチャする１つまたは複数のリソースエレメント（ＲＥ）を使用して共通基準信号（ＣＲＳ）を送信することをさらに備える、Ｃ１０に記載の方法。
［Ｃ１３］  １つまたは複数の共通基準信号（ＣＲＳ）リソースエレメント（ＲＥ）を含むＣＲＳ ＯＦＤＭシンボルとして前記シングルリソースブロック内の１つまたは複数のＯＦＤＭシンボルを識別することと、
非ＣＲＳ ＯＦＤＭシンボルに前記同期化信号を含む前記ＯＦＤＭシンボルをマッピングすることと、をさらに備える、Ｃ１０に記載の方法。
［Ｃ１４］  前記狭帯域領域における前記同期化信号の前記送信は、マルチメディアブロードキャストシングル周波数ネットワーク（ＭＢＳＦＮ）サブフレームとして事前に構成されるサブフレームにおいて前記同期化信号を送信することを備える、Ｃ１０に記載の方法。
［Ｃ１５］  マルチメディアブロードキャストシングル周波数ネットワーク（ＭＢＳＦＮ）サブフレームとして前記同期化信号を含むサブフレームを構成することをさらに備える、Ｃ１０に記載の方法。
［Ｃ１６］  前記狭帯域領域が１つまたは複数の広帯域送信の帯域幅内にあるかどうかを識別することと、
前記狭帯域領域が１つまたは複数の広帯域送信の前記帯域幅内にあるかどうかを１つまたは複数の受信機に示すことと、をさらに備える、Ｃ１０に記載の方法。
［Ｃ１７］  前記狭帯域領域が１つまたは複数の広帯域送信の前記帯域幅内にあるかどうかを１つまたは複数の受信機に前記示すことは、
前記狭帯域領域が１つまたは複数の広帯域送信の前記帯域幅内にあるかどうかに少なくとも部分的に基づいて送信のための前記シングルリソースブロック内のＯＦＤＭシンボルを選択することと、
前記選択されたＯＦＤＭシンボルを使用して前記同期化信号を送信することと、を備える、Ｃ１６に記載の方法。
［Ｃ１８］  前記同期化信号を前記生成することは、
前記シングルリソースブロックにおける複数のＯＦＤＭシンボルに少なくとも部分的に基づいて時間ドメインまたは周波数ドメインにおいてシーケンスを生成することと、
第１のシーケンスのサンプルのセットに少なくとも部分的に基づいて前記第１のシーケンスの補間時間ドメインバージョンを生成することと、
１つのＯＦＤＭシンボルの持続時間を各々有する複数の部分に前記補間時間ドメインバージョンを分割することと、
関連付けられたＯＦＤＭシンボルに関連付けられたサイクリックプレフィクスに対応する各部分のためのサンプルのサブセットを識別することと、
各部分に対してサンプルの前記識別されたサブセットを除去することと、
各部分にサイクリックプレフィクスをインサートすることと、を備える、Ｃ１０に記載の方法。
［Ｃ１９］  前記同期化信号を生成することは、
ＯＦＤＭサブキャリアのサブセットのみが同期化シーケンスを搬送するように前記周波数ドメインにおいて各ＯＦＤＭシンボルをウィンドウイングすることをさらに備える、Ｃ１８に記載の方法。
［Ｃ２０］  システム帯域幅の狭帯域領域における動作をサポートするシステムにおけるワイヤレス通信のための方法は、
狭帯域送信のためのシングルリソースブロックの位置のインジケーションを受信することと、前記シングルリソースブロックは前記システム帯域幅の広帯域領域内にある、
前記インジケーションに少なくとも部分的に基づいて前記狭帯域送信を受信するための１つまたは複数の同期化パラメータを識別することと、を備える、方法。
［Ｃ２１］  前記１つまたは複数の同期化パラメータを前記識別することは、
前記インジケーションに含まれるリソースブロックオフセット値および送信機のセル識別に少なくとも部分的に基づいて共通基準信号（ＣＲＳ）シーケンスを生成することを備える、Ｃ２０に記載の方法。
［Ｃ２２］  前記インジケーションは、前記システム帯域幅の全広帯域帯域幅と、前記シングルリソースブロックの位置を示すリソースブロックインデックスとを備える、Ｃ２０に記載の方法。
［Ｃ２３］  システム帯域幅の狭帯域領域における動作をサポートするシステムにおけるワイヤレス通信のための方法は、
デバイスディスカバリに関わるシステム情報を含む物理ブロードキャストチャネル（ＰＢＣＨ）の送信のための前記システム帯域幅の前記狭帯域領域の周波数帯域を識別することと、
前記狭帯域領域の前記識別された周波数帯域に少なくとも部分的に基づいて前記ＰＢＣＨを復号するための復号技術を選択することと、を備える、方法。
［Ｃ２４］  前記狭帯域領域が１つまたは複数の広帯域送信の帯域幅内にあるかどうかを、前記識別された周波数帯域に少なくとも部分的に基づいて、決定することをさらに備える、Ｃ２３に記載の方法。
［Ｃ２５］  前記狭帯域領域が１つまたは複数の広帯域送信の前記帯域幅内にあるかどうかを前記決定することは、前記識別された周波数帯域に関連付けられた無線アクセス技術に少なくとも部分的に基づく、Ｃ２４に記載の方法。
［Ｃ２６］  前記狭帯域領域が１つまたは複数の広帯域送信の前記帯域幅内にあるかどうかを前記決定することは、
前記識別された周波数帯域がグローバルシステムフォーモバイル（ＧＳＭ）通信に割り当てられた無線スペクトルにおいて位置を特定されることに応答して、前記狭帯域領域が、１つまたは複数の広帯域送信の前記帯域幅の外側にあることを、決定することと、
前記識別された周波数帯域がロングタームエボリューション（ＬＴＥ）通信に割り当てられた無線スペクトルにおいて位置を特定されることに応答して、前記狭帯域領域が１つまたは複数の広帯域送信の前記帯域幅内にあることを、決定することと、を備える、Ｃ２４に記載の方法。
［Ｃ２７］  前記ＰＢＣＨを復号するための前記復号技術を選択することは、
前記狭帯域領域が１つまたは複数の広帯域送信の前記帯域幅の外側にあることを決定することに応答して、共通基準信号（ＣＲＳ）ベースの復号技術を選択することと、
前記狭帯域領域が１つまたは複数の広帯域送信の前記帯域幅内にあることを決定することに応答して、復調基準信号（ＤＭＲＳ）ベースの復号技術を選択することと、を備える、Ｃ２６に記載の方法。
［Ｃ２８］  システム帯域幅の狭帯域領域における動作をサポートするシステムにおけるワイヤレス通信のための方法は、
リソースブロックを送信するために使用される前記システム帯域幅の前記狭帯域領域内の複数のサブキャリアを識別することと、
前記リソースブロックを送信するために使用される前記複数のサブキャリアの中心周波数サブキャリアを識別することと、
前記中心周波数サブキャリアの前記識別に少なくとも部分的に基づいて前記複数のサブキャリアのうちの１つまたは複数の他のサブキャリアを修正することと、を備える、方法。
［Ｃ２９］  １つまたは複数の他のサブキャリアを前記修正することは、
前記中心周波数サブキャリアがデータ送信のために使用されるべきでないことのインジケーションを受信することと、
前記中心周波数サブキャリアの周りでデータ送信をレートマッチングすることと、を備える、Ｃ２８に記載の方法。
［Ｃ３０］  １つまたは複数の他のサブキャリアを前記修正することは、
前記中心周波数サブキャリア以外の前記複数のサブキャリアのうちの１つまたは複数をパワーブーストすることをさらに備える、Ｃ２９に記載の方法。
［Ｃ３１］  １つまたは複数の他のサブキャリアを前記修正することは、
前記中心周波数サブキャリア以外の前記複数のサブキャリアのうちの１つまたは複数に周波数偏移を適用することを備える、Ｃ２８に記載の方法。
［Ｃ３２］  １つまたは複数の他のサブキャリアを前記修正することは、
サブキャリア周波数帯域幅の半分の周波数偏移に対応するオフセットを有するデジタル波形を生成することと、
前記デジタル波形の前記オフセットに少なくとも部分的に基づいて送信オシレータを調整することと、を備える、Ｃ２８に記載の方法。
［Ｃ３３］  システム帯域幅の狭帯域領域における動作をサポートするシステムにおけるワイヤレス通信のための装置は、
前記システム帯域幅の広帯域領域内のシングルリソースブロックとして前記システム帯域幅の前記狭帯域領域の位置を識別するための手段と、
前記システム帯域幅の前記広帯域領域内の前記シングルリソースブロックの前記位置のインジケーションを送信するための手段と、を備える、装置。
［Ｃ３４］  システム帯域幅の狭帯域領域における動作をサポートするシステムにおけるワイヤレス通信のための装置は、
デバイスディスカバリのための同期化信号を生成するための手段と、前記同期化信号は、シングルリソースブロック内の２つ以上の直交周波数分割多重化（ＯＦＤＭ）シンボルを備える、
前記狭帯域領域において前記同期化信号を送信するための手段と、を備える、装置。
［Ｃ３５］  システム帯域幅の狭帯域領域における動作をサポートするシステムにおけるワイヤレス通信のための装置は、
狭帯域送信のためのシングルリソースブロックの位置のインジケーションを受信するための手段と、前記シングルリソースブロックは前記システム帯域幅の広帯域領域内にある、
前記インジケーションに少なくとも部分的に基づいて前記狭帯域送信を受信するための１つまたは複数の同期化パラメータを識別するための手段と、を備える、装置。
［Ｃ３６］  システム帯域幅の狭帯域領域における動作をサポートするシステムにおけるワイヤレス通信のための装置は、
デバイスディスカバリに関わるシステム情報を含む物理ブロードキャストチャネル（ＰＢＣＨ）の送信のための前記システム帯域幅の前記狭帯域領域の周波数帯域を識別するための手段と、
前記狭帯域領域の前記識別された周波数帯域に少なくとも部分的に基づいて前記ＰＢＣＨを復号するための復号技術を選択するための手段と、を備える、装置。
［Ｃ３７］  システム帯域幅の狭帯域領域における動作をサポートするシステムにおけるワイヤレス通信のための装置は、
リソースブロックを送信するために使用される前記システム帯域幅の前記狭帯域領域内の複数のサブキャリアを識別するための手段と、
前記リソースブロックを送信するために使用される前記複数のサブキャリアの中心周波数サブキャリアを識別するための手段と、
前記中心周波数サブキャリアの前記識別に少なくとも部分的に基づいて前記複数のサブキャリアのうちの１つまたは複数の他のサブキャリアを修正するための手段と、を備える、装置。